(57)【特許請求の範囲】
【請求項１】
作成した電子メール等の情報を複数記憶するメモリと、
該情報の作成日，データ量および優先度を記憶するテーブルと、
前記情報の作成日，データ量および優先度に基づいて情報の優先順位を決定する優先順位決定部と、
前記電池の放電可能残量を測定する測定部と、
該測定した放電可能量に基づいて、送信することが可能なデータ量を算出する算出部と、
前記情報の送信時において、前記算出したデータ量の範囲で、優先順位が高い順番に前記メモリから情報を読み出して、送信する通信制御部とを備えた電池より駆動される端末
装置の送信方法において、
前記優先順位決定部は、複数の情報の優先度が同じときは、データ量の小さいものの優先順位を高くし、優先度が同じでデータ量が同じときは、作成日が早いものの優先順位を高くすることを特徴とする送信方法。
【請求項２】
作成した電子メール等の情報を
複数記憶するメモリと、
該情報の作成日，データ量および優先度を記憶するテーブルと、
前記情報の作成日，データ量および優先度に基づいて情報の優先順位を決定する優先順位決定部と、
前記電池の放電可能残量を測定する測定部と、
該測定した放電可能量に基づいて、送信することが可能なデータ量を算出する算出部と、
前記情報の送信時において、前記算出したデータ量の範囲で、優先順位が高い順番に前記メモリから情報を読み出して、送信する通信制御部とを備えた電池より駆動される端末装置において、
前記優先順位決定部は、複数の情報の優先度が同じときは、データ量の小さいものの優先順位を高くし、優先度が同じでデータ量が同じときは、作成日が早いものの優先順位を高くすることを特徴とする端末装置。
【発明の詳細な説明】
【０００１】
【発明の属する技術分野】
本発明は、情報を送信する為に蓄積し、蓄積した１又は複数の情報を送信する送信手段とを備え、電池により駆動される端末装置及びその送信方法に関するものである。
【０００２】
【従来の技術】
近年、モバイルコミュニケーション（移動体通信）の普及と共に、携帯性を重視したバッテリ駆動の、電子メールを送受信できる端末装置が増えて来た。それに伴い、電子メールの送受信方法の提案が盛んに行われている。特に、通信コストを抑制する為の提案が多く、例えば、指定された時間毎に、一斉に電子メールを送受信する方法及び事前に電子メールの件数を指定してその件数の電子メールを送受信する方法等があり、通信時間を減らすべく工夫している。
【０００３】
【発明が解決しようとする課題】
しかし、従来においては、電子メールを送受信できる端末装置のバッテリの残量（電池の放電可能残量）を考慮した送信方法の提案は未だなされていない。例えば、バッテリの残量が少ない状態で、データ量が大きい電子メールを送信した場合、送信に時間がかかり、その間にバッテリ切れとなり、次に送信する予定であった優先度が高い電子メールを送信出来ないことがある。
本発明は、上述したような事情に鑑みてなされたものであり、電池の放電可能残量が少ない状態においても、効率的に電子メール等の情報を送信することができる送信方法及び端末装置を提供することを目的とする。
【０００４】
【課題を解決するための手段】
第１発明に係る送信方法は、作成した電子メール等の情報を複数記憶するメモリと、該情報の作成日，データ量および優先度を記憶するテーブルと、前記情報の作成日，データ量および優先度に基づいて情報の優先順位を決定する優先順位決定部と、前記電池の放電可能残量を測定する測定部と、該測定した放電可能量に基づいて、送信することが可能なデータ量を算出する算出部と、前記情報の送信時において、前記算出したデータ量の範囲で、優先順位が高い順番に前記メモリから情報を読み出して、送信する通信制御部とを備えた電池より駆動される端末装置の送信方法において、前記優先順位決定部は、複数の情報の優先度が同じときは、データ量の小さいものの優先順位を高くし、優先度が同じでデータ量が同じときは、作成日が早いものの優先順位を高くすることを特徴とする。
【０００５】
第２発明に係る端末装置は、作成した電子メール等の情報を複数記憶するメモリと、該情報の作成日，データ量および優先度を記憶するテーブルと、前記情報の作成日，データ量および優先度に基づいて情報の優先順位を決定する優先順位決定部と、前記電池の放電可能残量を測定する測定部と、該測定した放電可能量に基づいて、送信することが可能なデータ量を算出する算出部と、前記情報の送信時において、前記算出したデータ量の範囲で、優先順位が高い順番に前記メモリから情報を読み出して、送信する通信制御部とを備えた電池より駆動される端末装置において、前記優先順位決定部は、複数の情報の優先度が同じときは、データ量の小さいものの優先順位を高くし、優先度が同じでデータ量が同じときは、作成日が早いものの優先順位を高くすることを特徴とする。
【０００６】
第１発明に係る送信方法及び第２発明に係る端末装置では、設定手段が、送信手段が送信すべき情報の優先度を設定し、記憶手段が、未送信である前記情報のデータ量及び設定手段が設定した優先度を記憶し、測定手段が、電池の放電可能残量を測定する。そして、情報の送信を指示されたときに、記憶手段が記憶しているデータ量、優先度及び測定手段が測定した放電可能残量に基づいて、選択手段が、蓄積手段が蓄積した情報から送信可能な情報を選択し、その選択した情報を優先度順に送信する。
これにより、電池の放電可能残量が少ない状態においても、送信が完了できるデータ量であり優先度が高い情報から先に送信することができるので、効率的に情報を送信することができる。
【０００７】
【発明の実施の形態】
以下に、本発明を、その実施の形態を示す図面に基づき説明する。
図１は、本発明に係る送信方法及び端末装置の実施の携帯の構成を示すブロック図である。この端末装置は、操作キー又は入力端子等を備え、情報が入力され、情報の送信すべき優先度を設定する入力部１１と、入力部１１から入力された情報を送信する為の形態に変換作成するＣＰＵを有する情報処理部１４と、情報処理部１４が変換作成した電子メール等の情報を記憶するメモリ１２（蓄積手段）とを備えている。
【０００８】
この端末装置は、また、未送信である情報の作成日、データ量及び入力部１１が設定した優先度を記憶する、メモリ１２内のテーブル１３と、液晶ディスプレイからなる表示部１７と、情報処理部１４が変換しメモリ１２が記憶している情報を送信し、また、他の通信端末からの情報を受信する通信制御部１０（送信手段）と、上述した各部へ電源を供給するバッテリ１５と、バッテリ１５の放電可能残量を測定するバッテリ測定部１６と、時計回路１８とを備えている。
【０００９】
以下に、このような構成の端末装置の動作を説明する。
操作者が、入力部１１から、送信すべき電子メールを表示部１７に表示しながら入力し、その作成変換が終了したとき、情報処理部１４は、表示部１７に図２に示すような、その電子メールの送信すべき優先度を設定する為の画面１９を表示する。操作者は、その画面１９を見ながら、作成した電子メールの優先度をキー操作により設定する。
情報処理部１４は、作成された電子メールのデータ量を算出し、設定された優先度、時計回路１８からの作成日及びその算出したデータ量をテーブル１３に記憶すると共に、その電子メールをメモリ１２に記憶する。
【００１０】
図３は、この端末装置の、電子メールを送信するときの動作を示すフローチャートである。以下に、このフローチャートを参照しながら、電子メールを送信するときの動作を説明する。
情報処理部１４は、電子メールの送信を指示されたとき（Ｓ２）、バッテリ測定部１６にバッテリ１５の放電可能残量を測定させ、その残量を取得する（Ｓ４）。
次に、情報処理部１４は、テーブル１３が記憶している内容を読み出し、読み出した作成日、データ量及び優先度に基づいて、送信する優先順位を決め、その優先順位が高い順番に並べる（Ｓ６）。この場合、複数の電子メールの読み出した優先度が同じときは、データ量が小さいものの優先順位を高くし、優先度が同じでデータ量が同じときは、作成日が早いものの優先順位を高くする。
【００１１】
次に、情報処理部１４は、決めた優先順位（Ｓ６）に基づき、送信する電子メールを選択する（Ｓ８）。このとき、取得したバッテリ１５の放電可能残量により送信することが可能なデータ量を算出し、そのデータ量の範囲内で、優先順位１位から選択して行く。
次に、情報処理部１４は、選択した電子メールを、優先順位が高い順番にメモリ１２から読み出して、通信制御部１０から送信する（Ｓ１０）。但し、無線状態が悪いときは、通信を行わない等の通信状態を配慮した通信制御を行う。
【００１２】
【発明の効果】
第１発明に係る送信方法及び第２発明に係る端末装置によれば、電池の放電可能残量が少ない状態においても、送信が完了できるデータ量を有し優先度が高い情報から先に送信することができるので、効率的に情報を送信することができ、送信時に発生する不具合を低減することができる。
【図面の簡単な説明】
【図１】本発明に係る送信方法及び端末装置の実施の携帯の構成を示すブロック図である。
【図２】優先度を設定する為の画面を説明する為の説明図である。
【図３】本発明に係る端末装置の動作を示すフローチャートである。
【符号の説明】
１０  通信制御部（送信手段）
１１  入力部（設定手段）
１２  メモリ（蓄積手段）
１３  テーブル（記憶手段、設定手段）
１４  情報処理部（選択手段）
１５  バッテリ（電池）
１６  バッテリ測定部（測定手段）
１７  表示部（設定手段）
１８  時計回路
１９  優先度を設定する為の画面（設定手段）
【図１】
0003561620.tif 000002
【図２】
0003561620.tif 000003
【図３】
0003561620.tif 000004